(57)【特許請求の範囲】
【請求項１】
車両本体に対して開閉可能に支持されたバックドアと、
前記車両本体と前記バックドアの間で伸縮可能に設けられ、伸縮方向の一端部は当該車両本体に固定されたブラケットを介して当該車両本体に取り付けられると共に伸縮方向の他端部は前記バックドアに取り付けられ、当該バックドアを開放させる方向へ付勢する付勢力を減衰させるダンパと、
を備え、
前記ブラケットは、
前記ブラケットの一部を構成し、前記車両本体との間で閉断面部を構成する壁部と、
前記壁部に固定され、車両幅方向に沿って設けられたピンと、
前記ダンパの伸縮方向の一端部に形成され、前記ピンに挿入可能な挿入孔と、
を含んで構成され、
前記挿入孔に前記ピンが挿入された状態で前記ダンパの伸縮方向の一端部が前記ブラケットに支持されている車両用バックドア装置。
【請求項２】
前記ブラケットに設けられ、当該ブラケットの一部を構成し前記車両本体との間で閉断面部を構成する壁部と車両幅方向に対向し、かつ車両幅方向に沿った方向から見た側面視で前記ピンと重ならないように形成された当接壁と、
前記ダンパの伸縮方向の一端部に設けられ、前記挿入孔が前記ピンに挿入されかつ前記ダンパの伸縮方向の他端部が前記バックドアに取付けられた状態で車両幅方向に沿った方向から見た側面視において、前記当接壁と重なり当該ダンパの車両幅方向に沿った移動を規制する当接片と、
をさらに有する請求項１に記載に車両用バックドア装置。
【請求項３】
前記当接壁には、前記当接片の当接により、前記ブラケットに対する前記ダンパの伸縮方向の一端部における車両前後方向の位置を決める位置決め片が形成されている請求項２に記載の車両用バックドア装置。
【発明の詳細な説明】
【技術分野】
【０００１】
本発明は、車両用バックドア装置に関する。
【背景技術】
【０００２】
下記特許文献１には、車両本体とバックドアを連結するダンパの取付け構造に関する技術が開示されている。この先行技術では、ダンパが取り付けブラケットを介して車両本体側の支持ブラケットに取付けられるようになっている。そして、当該取り付けブラケットは、車両前後方向かつ車両上下方向に沿って配置される取り付け部を備えており、この取り付け部にダンパが取り付けられるようになっている。さらに、取り付けブラケットの取り付け部の上端部からは当該取り付け部に対して直交する方向へ固定片が張り出しており、ボルトを介して当該固定片が車両本体側の支持ブラケットに固定されるようになっている。
【先行技術文献】
【特許文献】
【０００３】
【特許文献１】特開２００４−１５０１７０号公報
【発明の概要】
【発明が解決しようとする課題】
【０００４】
しかしながら、この先行技術では、取り付けブラケットはいわゆる片持ち支持となっているため、当該ダンパを介して車両前後方向に沿って入力される荷重に対して、取り付けブラケットをさらに強化させる必要がある。したがって、この観点においてさらなる改善の余地がある。
【０００５】
本発明は、上記事実を考慮して、ダンパを取り付けるブラケットが強化された車両用バックドア装置を得ることが目的である。
【課題を解決するための手段】
【０００６】
請求項１に係る車両用バックドア装置は、車両本体に対して開閉可能に支持されたバックドアと、前記車両本体と前記バックドアの間で伸縮可能に設けられ、伸縮方向の一端部は当該車両本体に固定されたブラケットを介して当該車両本体に取り付けられると共に伸縮方向の他端部は前記バックドアに取り付けられ、当該バックドアを開放させる方向へ付勢する付勢力を減衰させるダンパと、を備え、前記ブラケットは、前記ブラケットの一部を構成し、前記車両本体との間で閉断面部を構成する壁部と、前記壁部に固定され、車両幅方向に沿って設けられたピンと、前記ダンパの伸縮方向の一端部に形成され、前記ピンに挿入可能な挿入孔と、を含んで構成され、前記挿入孔に前記ピンが挿入された状態で前記ダンパの伸縮方向の一端部が前記ブラケットに支持されている。
【０００７】
請求項１に係る車両用バックドア装置では、車両本体に対してバックドアが開閉可能に支持されている。車両本体とバックドアの間にはダンパが伸縮可能に設けられており、当該ダンパの伸縮方向の一端部は、当該車両本体に固定されたブラケットに取り付けられ、ダンパの伸縮方向の他端部は、バックドアに取り付けられている。そして、当該ダンパによって、バックドアを開放させる方向へ付勢する付勢力が減衰されるようになっている。
【０００８】
ここで、本発明では、車両本体に固定されたブラケットは、壁部及びピンを含んで構成されており、壁部は、車両本体との間で閉断面部を構成している。これにより、当該ブラケットにおいて、閉断面部が構成されない場合と比較してブラケットの強度、剛性を向上させることができる。また、ピンは、壁部に固定されており、車両幅方向に沿って設けられている。一方、ダンパの伸縮方向の一端部には挿入孔が形成されており、当該挿入孔をピンに挿入可能している。
【０００９】
さらに、当該ブラケットにおいて、ダンパの伸縮方向の一端部に形成された挿入孔をピンに挿入させた状態で、閉断面部を構成する部位でダンパの伸縮方向の一端部を支持している。これにより、ダンパを介して伝達されるブラケットへの応力集中を緩和し、当該ダンパから入力された荷重をブラケットで効果的に支持することができる。
【００１０】
なお、ここでの「閉断面部」は、当該閉断面部を構成する構成部が全体として閉断面部を構成していればよく、当該構成部において部分的に穴部が形成されていたとしても閉断面部を構成することに変わりはない。
請求項２に係る車両用バックドア装置は、請求項１に係る車両用バックドア装置において、前記ブラケットに設けられ、当該ブラケットの一部を構成し前記車両本体との間で閉断面部を構成する壁部と車両幅方向に対向し、かつ車両幅方向に沿った方向から見た側面視で前記ピンと重ならないように形成された当接壁と、前記ダンパの伸縮方向の一端部に設けられ、前記挿入孔に前記ピンが挿入されかつ前記ダンパの伸縮方向の他端部が前記バックドアに取付けられた状態で車両幅方向に沿った方向から見た側面視において、前記当接壁と重なり当該ダンパの車両幅方向に沿った移動を規制する当接片と、をさらに有している。
請求項２に係る車両用バックドア装置では、ブラケットに当接壁が設けられている。当接壁は、ブラケットの一部を構成しており、車両本体との間で閉断面部を構成する壁部と車両幅方向に対向すると共に、車両幅方向に沿った方向から見た側面視でピンと重ならないように形成されている。
一方、ダンパには当接片が設けられている。ダンパの伸縮方向の一端部に形成された挿入孔がブラケットのピンに挿入され、当該ダンパの伸縮方向の他端部がバックドアに取付けられた状態で、車両幅方向に沿った方向から見た側面視で、当該当接片は当接壁と重なり、ダンパの車両幅方向に沿った移動が規制されるように設定されている。
このため、ダンパの伸縮方向の一端部は、ブラケットのピンから外れず、ブラケットに取り付けられた状態が維持される。
請求項３に係る車両用バックドア装置は、請求項２に係る車両用バックドア装置において、前記当接壁には、前記当接片の当接により、前記ブラケットに対する前記ダンパの伸縮方向の一端部における車両前後方向の位置を決める位置決め片が形成されている。
請求項３に係る車両用バックドア装置では、当接壁には位置決め片が形成されており、ダンパに設けられた当接片が位置決め片に当接することによって、ブラケットに対するダンパの伸縮方向の一端部における車両前後方向の位置が決まる。
【発明の効果】
【００１１】
以上説明したように、請求項１に記載の車両用バックドア装置によれば、ダンパを取り付けるブラケットを強化することができる、という優れた効果が得られる。
【図面の簡単な説明】
【００１２】
【図１】本実施形態に係る車両用バックドア装置において、ダンパの車体側取付部を車両本体に取り付ける状態を示す側面図である。
【図２】本実施形態に係る車両用バックドア装置において、ダンパの車体側取付部を車両本体に取り付け、ダンパのバックドア側取付部をヒンジアームに取り付けた状態を示す側面図である。
【図３】本実施形態に係る車両用バックドア装置において、ダンパが車体本体及びヒンジアームに取り付けられた状態でバックドアが閉止された状態を示す側面図である。
【図４】本実施形態に係る車両用バックドア装置において、車両本体側のブラケットとダンパの車体側取付部を示す車両左斜め後方側から見た斜視図である。
【図５】（Ａ）は、本実施形態における車両用バックドア装置の作用を説明するための模式化された平面図であり、（Ｂ）は（Ａ）の比較例である。
【図６】本実施形態に係る車両用バックドア装置において、ダンパの車体側取付部を車両本体に取り付ける状態を示す車両左斜め後方側から見た斜視図である。
【図７】（Ａ）は、本実施形態に係る車両用バックドア装置において、ダンパの車体側取付部を車両本体に対して位置決めさせる状態を示す車両本体側のブラケットとダンパの車体側取付部を示す平面図であり、（Ｂ）は、（Ａ）に対応する側面図である。
【図８】（Ａ）は、本実施形態に係る車両用バックドア装置において、ダンパの車体側取付部を車両本体側のピンに係合させた状態を示す車両本体側のブラケットとダンパの車体側取付部を示す平面図であり、（Ｂ）は、（Ａ）に対応する側面図である。
【図９】（Ａ）は、本実施形態に係る車両用バックドア装置において、ダンパの車体側取付部が車両本体に取り付けた状態を示す車両本体側のブラケットとダンパの車体側取付部を示す平面図であり、（Ｂ）は、（Ａ）に対応する側面図である。
【発明を実施するための形態】
【００１３】
以下、図面を用いて本実施の形態に係る車両用バックドア装置について説明する。なお、図面において、適宜示される矢印ＦＲは、車両用バックドア装置１０が適用された自動車（車両）１２の車両前側を示し、矢印ＵＰは車両上側を示し、矢印ＯＵＴは車両幅方向の外側を示している。また、単に前後、上下、左右の方向を用いて説明する場合は、特に断りのない限り、車両前後方向の前後、車両上下方向の上下、車両左右方向（車両幅方向）の左右、を示すものとする。
【００１４】
（車両用バックドア装置の構成）
まず、本実施の形態に係る車両用バックドア装置の構成について説明する。
【００１５】
図２及び図３に示されるように、本実施の形態に係る車両用バックドア装置１０は、車両本体１４と当該車両本体１４の後部に対して開閉可能に設けられたバックドア１６との間に介在されたダンパ１８を備えている。
【００１６】
バックドア１６は車両本体１４の後部に設けられたラゲッジルーム２０を開閉可能としており、バックドア１６と車両本体１４とはヒンジアーム２２によって連結されている。ヒンジアーム２２は、図３に示されるように、バックドア１６が車両本体１４に対して閉止された状態で車両側面視で上方側を開口とする略Ｕ字状を成しており、ラゲッジルーム２０の左右にそれぞれ設けられている。
【００１７】
また、ヒンジアーム２２には、図示はしないが、圧縮コイルバネの軸線方向の一端部が取り付けられている。この圧縮コイルバネの軸線方向の他端部は車両本体１４側に取り付けられており、当該圧縮コイルバネは、バックドア１６が車両本体１４に対して閉止された状態で伸長し、弾性エネルギが蓄積された状態となるように取り付けられている。
【００１８】
一般に、車両本体１４及びバックドア１６には、図示はしないがロック機構が設けられており、当該ロック機構によるロック状態によって、バックドア１６が車両本体１４に対して閉止された状態が維持されるようになっている。そして、ロック機構によるロック状態が解除されると、車両本体１４に対してバックドア１６は開放可能となる。
【００１９】
ところで、前述のように、バックドア１６が車両本体１４に対して閉止された状態では、圧縮コイルバネは弾性エネルギが蓄積された状態となっているため、バックドア１６が開放されるとき、当該圧縮コイルバネの付勢力によってバックドア１６は開放方向へ付勢されることになる。このため、本実施形態では、車両本体１４とバックドア１６の間にはダンパ１８が介在され、当該ダンパ１８によって、圧縮コイルバネによる付勢力が減衰されるようにしている。
【００２０】
なお、ここでは、圧縮コイルバネを用いたが、バックドア１６を開放方向へ付勢することができればよいため、これに限るものではない。例えば、引張コイルバネやトーションバネを用いても良い。また、ダンパ１８は、ピストンタイプのダンパであり、車両１２の右側に設けられている。
【００２１】
ここで、ダンパ１８について具体的に説明する。
図２及び図３に示されるように、当該ダンパ１８は、筒状のシリンダ２４と、シリンダ２４に対して出入されるロッド２６と、を含んで構成されており、ロッド２６がシリンダ２４に対して出入することによりダンパ１８は伸縮可能となる。
【００２２】
また、ロッド２６には、シリンダ２４内においてピストン（図示省略）が設けられており、ロッド２６の移動と共に当該ピストンがシリンダ２４内を移動可能となっている。当該シリンダ２４内には、例えば、シリコンオイル等のオイルが充填されており（いわゆるオイルダンパ）、ロッド２６を介してピストンがシリンダ２４内を移動することによって、シリンダ２４内のオイルによる粘性抵抗によってピストンを介してロッド２６には負荷が掛かるようになっている。
【００２３】
なお、本実施形態では、ロッド２６がシリンダ２４から突出することによって当該ロッド２６には負荷が掛かるようになっており、ロッド２６がシリンダ２４内へ収容されるときは、ピストンにはできるだけ負荷が掛からないよう構成されている。また、本実施形態では、ダンパ１８としていわゆるオイルダンパが用いられているが、これに限るものではなく、例えば、ガスダンパが用いられてもよい。
【００２４】
そして、本実施形態では、ダンパ１８の伸縮方向の一端部には車体側取付部２８が設けられており（後述する）、当該車体側取付部２８は車両本体１４側に取り付けられている。また、ダンパ１８の伸縮方向の他端部には、バックドア側取付部３０が設けられており、当該バックドア側取付部３０はヒンジアーム２２（バックドア１６側）に取り付けられている。
【００２５】
このため、バックドア１６が開放されるとき、ヒンジアーム２２を介してシリンダ２４からロッド２６を突出させる方向へ当該シリンダ２４が移動する。これにより、バックドア１６を開放方向へ付勢する圧縮コイルバネによる付勢力がダンパ１８によって減衰される。
【００２６】
ここで、本実施形態に係る車両用バックドア装置１０の要部について説明する。
図１及び図４に示されるように、本実施形態では、車両本体１４側のパネル３２にダンパ１８の車体側取付部２８を取り付けるためのブラケット３４が設けられている。このブラケット３４は、例えば鋼板等で形成されており、車両本体１４に対して溶接等に結合されるようになっている。
【００２７】
図４に示されるように、ブラケット３４は、平面視で前方側を開口とするハット型状を成しており、車両本体１４側のパネル３２との間に閉断面部３６を構成するように形成されている。具体的には、当該ブラケット３４は、閉断面部３６を構成する壁部３８が設けられており、当該壁部３８は、車両幅方向の内側に位置する内壁部（閉断面部３６を構成する部位；支持壁）４０と、車両幅方向の外側に位置する外壁部４２と、後部に位置する後壁部４４と、で構成されている。
【００２８】
そして、内壁部４０の前端部４０Ａからは閉断面部３６の車両幅方向の外側へ向かって屈曲する結合片４６が延出されており、外壁部４２の前端部４２Ａからは閉断面部３６の車両幅方向の外側へ向かって屈曲する結合片４８が延出されている。結合片４６、４８は、車両本体１４側のパネル３２の形状に合わせて形成されており、当該結合片４６、４８が車両本体１４側のパネル３２に結合されるようになっている。
【００２９】
このように、当該結合片４６、４８が車両本体１４側のパネル３２に結合されることによって、当該パネル３２とブラケット３４の壁部３８との間で閉断面部３６が形成されることになる。さらに、結合片４６の側端部４６Ａからは、後方側へ向かって屈曲し内壁部４０と車両幅方向に対向する当接壁５０が設けられている。
【００３０】
ここで、ブラケット３４の内壁部４０（閉断面部を構成する部位）には、上下方向の中央部よりも下側の位置に固定穴４０Ｂが設けられており、当該固定穴４０Ｂにはピン５２が固定されている。このピン５２にダンパ１８の車体側取付部２８が取り付けられる（支持される）ようになっている（後述する）。
【００３１】
（車両用バックドア装置の作用及び効果）
本実施形態では、図４及び図５（Ａ）に示されるように、車両本体１４側のパネル３２に固定されたブラケット３４は、当該パネル３２との間で閉断面部３６を構成している。なお、図５（Ａ）は、本実施形態における車両用バックドア装置１０の作用を説明するための模式図であり、図５（Ｂ）は図５（Ａ）の比較例である。
【００３２】
例えば、図５（Ｂ）に示されるように、車両本体１００側のパネル１０２と当該パネル１０２に固定されたブラケット１０４との間で閉断面部が構成されない場合、図示しないバックドアの開放に伴ってダンパ１０６に荷重Ｆ’が作用すると、当該ダンパ１０６を支持するブラケット１０４の支持壁１０４Ａには、パネル１０２と当接する角部Ｏを起点としてモーメントＭが作用し、ブラケット１０４が変形する可能性がある。
【００３３】
これに対して、本実施形態では、図５（Ａ）に示されるように、車両本体１４側のパネル３２に固定されたブラケット３４が、当該パネル３２との間で閉断面部３６を構成している。これにより、ブラケットにおいて閉断面部が構成されない場合と比較して、当該ブラケット３４では、強度、剛性を向上させることができ、バックドア１６（図２参照）の開放によるブラケット３４の変形を抑制することができる。
【００３４】
そして、当該ブラケット３４において、閉断面部３６の一部を構成する内壁部４０でダンパ１８の車体側取付部２８を支持している。このため、バックドア１６（図２参照）の開放に伴ってダンパ１８に荷重Ｆが作用しても、当該ダンパ１８を介して伝達されるブラケット３４への応力集中を緩和することができる。これにより、ダンパ１８から入力された荷重Ｆをブラケット３４で効果的に支持することができる。したがって、本実施形態によれば、ブラケット３４において、ダンパ１８を取り付けるための取付け強度の向上に寄与することができる。
【００３５】
（ダンパの取り付け構造）
次に、図１に示すダンパ１８の取り付け構造について説明するが、その前に、車両本体１４側に固定されたブラケット３４の当接壁５０及び当該ブラケット３４に取り付けられるダンパ１８の車体側取付部２８について詳細を説明する。
【００３６】
図４に示されるように、ブラケット３４の結合片４６の側端部４６Ａからは内壁部４０と車両幅方向に対向する当接壁５０が延出されており、当該当接壁５０は、矢印Ａ方向から見た側面視で内壁部４０に固定されたピン５２と重ならないように形成されている。
【００３７】
具体的に説明すると、ピン５２はブラケット３４の内壁部４０の下部側に設けられており、当該当接壁５０は、内壁部４０の上部側と車両幅方向に対向するように形成されている。また、当接壁５０は、矢印Ａ方向から見た側面視で略Ｌ字状を成しており、当接壁５０の上端５０Ａの前後方向の中央部からは、略矩形状の位置決め片５４が上方に突出している。さらに、当接壁５０の下端５０Ｂの後部には、後方側へ向かうにつれて上方側へ向かって傾斜する傾斜面５０Ｃが形成されており、当接壁５０の後端５０Ｄは、当接壁５０の上端５０Ａと傾斜面５０Ｃとの間で角丸めされている。
【００３８】
一方、ダンパ１８の車体側取付部２８は、ロッド２６の長手方向の一端部に設けられている。当該車体側取付部２８は、平面視で略逆Ｌ字状を成しており、固定片５６と係合片５８を備えている。固定片５６はロッド２６の軸線に対して略直交した状態で当該ロッド２６に固定されており、係合片５８はロッド２６の軸線と略平行になるように形成されている。
【００３９】
当該係合片５８の先端側の上下方向の中央部には、挿入孔５８Ａが形成されており、当該挿入孔５８Ａにはブラケット３４側に固定されたピン５２が挿入可能とされている。また、係合片５８の上端５８Ｂにおいて、固定片５６側からは上方へ向かって延出片６０が延出されている。この延出片６０の先端からは、固定片５６と略平行となるように略水平に固定片５６側へ屈曲された当接片（当接部）６２が延出されており、当該当接片６２の先端からは延出片６０と略平行となるように上方へ向かって屈曲された当接片（当接部）６４が延出されている。
【００４０】
ここで、ダンパ１８の取り付け構造について説明する。
図６に示されるように、バックドア１６が開放された状態で、ダンパ１８のロッド２６をシリンダ２４から突出させダンパ１８のシリンダ２４側を把持して車体側取付部２８をブラケット３４の当接壁５０側へ近づける。
【００４１】
そして、図４及び図７（Ａ）、（Ｂ）に示されるように、ダンパ１８の車体側取付部２８の当接片６２をブラケット３４の当接壁５０の位置決め片５４に当接させる。ここで、図７（Ａ）には、ダンパ１８の車体側取付部２８とブラケット３４を示す平面図が示されており、図７（Ｂ）には、図７（Ａ）に対応する側面図が示されている。なお、以下で説明する図８及び図９も図７と同じである。
【００４２】
具体的に説明すると、まず、図４及び図７（Ａ）、（Ｂ）に示されるように、車両幅方向でブラケット３４の当接壁５０と内壁部４０に固定されたピン５２の先端面５２Ａとの間にダンパ１８の車体側取付部２８の係合片５８を挿入する。このとき、ブラケット３４の当接壁５０の上端５０Ａにダンパ１８の車体側取付部２８の一部を構成する当接片６２の下面６２Ａを当接させる。これにより、ブラケット３４に対してダンパ１８の車体側取付部２８が車両上下方向で位置決めされる。
【００４３】
そして、このとき、ブラケット３４の位置決め片５４の後端５４Ａにダンパ１８の車体側取付部２８の当接片６２の前面６２Ｂを当接させる。これにより、ブラケット３４に対してダンパ１８の車体側取付部２８が車両前後方向で位置決めされる。この状態で、ダンパ１８の車体側取付部２８を構成する係合片５８の挿入孔５８Ａとブラケット３４の内壁部４０に固定されたピン５２が同軸的に配置される。なお、このとき、延出片６０を当接壁５０に当接させるようにしてもよい。これによると、ブラケット３４に対してダンパ１８の車体側取付部２８が車両幅方向で位置決めされる。
【００４４】
次に、図８（Ａ）、（Ｂ）に示されるように、ダンパ１８の車体側取付部２８をブラケット３４の内壁部４０側へ移動させる。これにより、ダンパ１８の係合片５８に形成された挿入孔５８Ａ内にブラケット３４の内壁部４０に固定されたピン５２が挿入される。これにより、ダンパ１８の車体側取付部２８が、ブラケット３４のピン５２に係合された状態となる。
【００４５】
この状態（図１参照）から、図２に示されるように、ダンパ１８のシリンダ２４側のバックドア側取付部３０をヒンジアーム２２に取り付ける。このとき、図９（Ａ）、（Ｂ）に示されるように、ブラケット３４の内壁部４０に固定されたピン５２を中心に、ダンパ１８は上方へ向かって矢印Ｂ方向へ回転する。
【００４６】
これにより、ダンパ１８の係合片５８に形成された延出片６０、当接片６２、６４が、図９（Ｂ）に示されるように、側面視でブラケット３４の当接壁５０と重なる。つまり、図２及び図３に示されるように、ダンパ１８のバックドア側取付部３０がヒンジアーム２２に取り付けられた状態では、バックドア１６の開閉に拘わらず、図９（Ｂ）に示されるように、側面視でダンパ１８の係合片５８の延出片６０、当接片６２、６４は、ブラケット３４の当接壁５０と重なった状態となる。
【００４７】
このように、図９（Ａ）、（Ｂ）に示されるように、ダンパ１８の当接片６２、６４がブラケット３４の当接壁５０と重なった状態では、ダンパ１８を車両１２の車両幅方向の中央側（当接壁５０側）へ移動させたとしても、当該ダンパ１８の当接片６２、６４がブラケット３４の当接壁５０に当接するため、ダンパ１８は車両幅方向に沿った移動が規制される。このため、ダンパ１８の車体側取付部２８はブラケット３４のピン５２から外れない。つまり、ダンパ１８の車体側取付部２８はブラケット３４に取り付けられた状態となる。なお、ブラケット３４の当接壁５０は、ダンパ１８の当接片６２、６４が当接しても塑性変形しない強度及び剛性となるように設定されている。
【００４８】
（ダンパの取り付け構造の作用及び効果）
次に、ダンパ１８の取り付け構造の作用及び効果について説明する。
【００４９】
例えば、図示は省略するが、車両本体側のブラケットに取り付けられるダンパの取付部が、いわゆるボールジョイントタイプの場合、ブラケット側にはボールジョイント部が設けられ、ダンパの取付部には、当該ボールジョイント部に係合されるソケット部が設けられている。
【００５０】
そして、車両本体側にダンパを取り付ける際、ブラケットのボールジョイント部にダンパのソケットを直接手で圧入させ係合させる。このため、例えば、ラゲッジルームの奥方にブラケットが設けられている場合、作業者は車両本体の後端からラゲッジルームの奥方へ向かって身を乗り出し手を伸ばした状態で当該ブラケットにダンパを取り付けなければならないため、作業性がよくない。
【００５１】
これに対して、本実施形態では、図４及び図６に示されるように、車両本体１４側のブラケット３４に当接壁５０を設け、ダンパ１８側には当該車体側取付部２８に当接する当接片６２、６４を設けて、当該当接片６２、６４が当接壁５０に当接することによって、ブラケット３４に対してダンパ１８の位置決めを行うことができる。
【００５２】
そして、図８（Ａ）、（Ｂ）に示されるように、ダンパ１８の車体側取付部２８をブラケット３４の内壁部４０側へ移動させることによって、ダンパ１８の車体側取付部２８が、ブラケット３４のピン５２に係合される。
【００５３】
さらに、図２に示されるように、ダンパ１８のシリンダ２４側のバックドア側取付部３０をヒンジアーム２２に取り付けることによって、図９（Ａ）、（Ｂ）に示されるように、ダンパ１８の車体側取付部２８がブラケット３４のピン５２から外れないようにすることができる。つまり、ダンパ１８の車体側取付部２８をブラケット３４に取り付けることができる。
【００５４】
以上のことから、本実施形態では、ダンパ１８のロッド２６をシリンダ２４から突出させた状態で、ダンパ１８のシリンダ２４側を把持したまま、車体側取付部２８をブラケット３４に取り付けることができる。このため、図６に示されるように、作業者Ｐは車両本体１４の後方側に立った状態でダンパ１８をブラケット３４に取り付けることができる。また、一連の動作において、特に圧入などの力は必要ではない。したがって、本実施形態によれば、取付け（組付け）作業性が向上し、作業工数を削減することができる。
【００５５】
なお、本実施形態におけるダンパの取り付け構造は、以下の構成を有している。
（１）ブラケットには、ダンパの伸縮方向の一端部を支持する支持壁と車両幅方向に対向する当接壁が設けられている。
（２）ダンパの車体側取付部には、ブラケットに設けられた当接壁に当接してダンパを車両前後方向で位置決めさせる当接部が設けられている。
（３）また、ダンパの車体側取付部には、当接部が当接壁に当接した状態で当該車体側取付部を車両幅方向に沿って支持壁側へ移動させると、当該支持壁に固定されたピンに係合される係合片が設けられている。
（４）そして、ダンパのドア側取付部をバックドア側に取り付けると、車両側面視で当接壁と当接部は重なり、当該当接部は車両幅方向への移動が規制される。
【００５６】
以上、本発明の実施形態の一例について説明したが、本発明の実施形態は、上記に限定されるものでなく、一実施形態及び各種の変形例を適宜組み合わせて用いても良いし、本発明の要旨を逸脱しない範囲において、種々なる態様で実施し得ることは勿論である。
【符号の説明】
【００５７】
１０    車両用バックドア装置
１２    車両
１４    車両本体
１６    バックドア
１８    ダンパ
２８    車体側取付部（ダンパの伸縮方向の一端部）
３０    バックドア側取付部（ダンパの伸縮方向の他端部）
３２    パネル（車両本体）
３４    ブラケット
３６    閉断面部
４０    内壁部（閉断面部を構成する部位）
【図１】
0006583079.tif 000002
【図２】
0006583079.tif 000003
【図３】
0006583079.tif 000004
【図４】
0006583079.tif 000005
【図５】
0006583079.tif 000006
【図６】
0006583079.tif 000007
【図７】
0006583079.tif 000008
【図８】
0006583079.tif 000009
【図９】
0006583079.tif 000010